(57)【要約】      （修正有）【課題】操作が簡単で、設置・撤去が容易となるダンプトラックの積荷台の積荷の飛散を防止する飛散防止装置に取り付ける補助シート装置を提供する。【解決手段】ダンプトラック１の積荷の飛散防止装置４に設けられる飛散防止補助シート装置は、ダンプトラックの積荷台の両側壁３の上端部にそれぞれ傾動自在に設けられる、積荷の飛散を防止する短冊状の飛散防止本体部４ａを備える。さらに、この飛散防止本体部を傾動させる傾動装置とよりなる飛散防止装置の上記飛散防止本体部に傾動自在に設けられる補助シート枠と、この補助シート枠と上記短冊状の飛散防止本体部とに連結した所望の長さの紐状部材１０と、上記補助シート枠に固定したシート部材１１とよりなる。【選択図】図１
0003173383.tif 000002
【実用新案登録請求の範囲】
【請求項１】
ダンプトラックの積荷台の両側壁の上端部にそれぞれ傾動自在に設けられる、積荷の飛散を防止する短冊状の飛散防止本体部と、この飛散防止本体部を傾動させる傾動装置とよりなる飛散防止装置の
上記飛散防止本体部に傾動自在に設けられる補助シート枠と、この補助シート枠と上記短冊状の飛散防止本体部とに連結した所望の長さの紐状部材と、上記補助シート枠に固定したシート部材とよりなることを特徴とするダンプトラックの積荷の飛散防止装置に設けられる飛散防止補助シート装置。
【請求項２】
上記補助シート枠は、一対のシート固定用棒体と、この各シート固定用棒体の基部に直角方向に固定した回転軸部とよりなり、
上記各回転軸部は、上記飛散防止本体部に設けた軸受部に支軸されることを特徴とする請求項１記載のダンプトラックの積荷の飛散防止装置に設けられる飛散防止補助シート装置。
【考案の詳細な説明】
【技術分野】
【０００１】
本考案はダンプトラックの積荷の飛散防止装置に設けられる飛散防止補助シート装置、特に、ダンプトラックの積荷台に既に設けられている飛散防止装置に設けられる、積荷の飛散防止補助シート装置に関するものである。
【背景技術】
【０００２】
図７は、土砂類（砂利、土砂、道路舗装材等）などの積荷を積載して運搬するダンプトラックの積荷台に設けた積荷の飛散防止装置を示し、１は、ダンプトラック、２は、上記ダンプトラック１の積荷台、３は、上記積荷台２の左右両側の側壁（あおり）、４は、上記積荷台に設けた積荷の飛散防止装置である。
【０００３】
上記飛散防止装置４は、上記積荷台２の両側壁３、３の上端部にそれぞれ傾動自在に設けた、例えば、枠組付きシートなどの短冊状の飛散防止本体部４ａと、上記飛散防止本体部４ａを傾動させる傾動装置（図示せず）とよりなる。そして、この飛散防止装置４は、上記積荷台２に土砂類等を積み込むときは、上記飛散防止本体部４ａを上記傾動装置により上記側壁３の外側に開放し、土砂類等を積み込んだ後は、図７に示すように、上記飛散防止本体部４ａを上記傾動装置により内側に傾動させて、やや内側に傾斜した状態で保持させて、運搬時における土砂類等の落下や飛散を防止している。
【０００４】
上記飛散防止装置４は、コボレーン（中播自動車工業株式会社商標）、アフレーン（小平産業株式会社登録商標）、パターンシートなどと呼ばれ、広く普及し、多くのダンプトラックに装着されているが、通常は積荷台２の中央部が広く開いている。そのため、この広く開いた部分から、土砂類が落下したり、または、粉塵が発生したりしないように、通常、図７に示すように、積荷の運搬のたびに、手作業で上記積荷台２にシート５を設置し、また、シート５の撤去を行っていた。
【０００５】
しかしながら、積荷の運搬のたびにシート５の設置、撤去作業は、多くの手間や労力を要し、積荷の運搬効率を低下させる。また、シートの設置、撤去作業は高所作業を伴い、運転手の転落災害のおそれがある。また、シートの設置、撤去作業の煩雑性からシートの固定が不十分となる場合があり、走行中の安全性を妨げる可能性がある。
【０００６】
そのため、例えば、特許文献１に示すように、上記飛散防止装置４の飛散防止本体部４ａの上端部に、傾動装置を有する飛散防止補助シート装置を設け、この補助シート装置により、上記積荷台の中央部を覆うようにしたものがある。
【先行技術文献】
【特許文献】
【０００７】
【特許文献１】特開平１０−２４４８６８号公報
【考案の概要】
【考案が解決しようとする課題】
【０００８】
しかしながら、上記補助シート装置の傾動装置は、上記飛散防止装置４の傾動装置とは別系統であるため、装置の操作が煩雑となる。
【０００９】
また、ダンプトラックに既に設けられている飛散防止装置に上記従来の補助シート装置を取り付けるためには多くの加工が必要で、多くの場合、既に取り付けられている飛散防止装置をダンプトラックから取り外し、飛散防止装置と補助シート装置が組み合わさった別の装置を取付直す必要があるという欠点があった。
【００１０】
本考案は上記の欠点を除くようにしたものである。
【課題を解決するための手段】
【００１１】
本考案のダンプトラックの積荷の飛散防止装置に設けられる飛散防止補助シート装置は、ダンプトラックの積荷台の両側壁の上端部にそれぞれ傾動自在に設けられる、積荷の飛散を防止する短冊状の飛散防止本体部と、この飛散防止本体部を傾動させる傾動装置とよりなる飛散防止装置の上記飛散防止本体部に傾動自在に設けられる補助シート枠と、この補助シート枠と上記短冊状の飛散防止本体部とに連結した所望の長さの紐状部材と、上記補助シート枠に固定したシート部材とよりなることを特徴とする。
【００１２】
また、上記補助シート枠は、一対のシート固定用棒体と、この各シート固定用棒体の基部に直角方向に固定した回転軸部とよりなり、上記各回転軸部は、上記飛散防止本体部に設けた軸受部に支軸されることを特徴とする。
【考案の効果】
【００１３】
本考案の飛散防止補助シート装置は、傾動装置を不要とし、また、ダンプトラックに既に設けられている飛散防止装置に、簡単に設置、撤去ができるという大きな利益がある。
【図面の簡単な説明】
【００１４】
【図１】本考案の飛散防止補助シート装置の説明用斜視図である。
【図２】本考案の飛散防止補助シート装置の要部の説明用斜視図である。
【図３】本考案の飛散防止補助シート装置の動作説明図である。
【図４】本考案の飛散防止補助シート装置の動作説明図である。
【図５】本考案の飛散防止補助シート装置の動作説明図である。
【図６】本考案の飛散防止補助シート装置の動作説明図である。
【図７】従来の飛散防止装置の説明用斜視図である。
【考案を実施するための形態】
【００１５】
以下、図面によって本考案の実施例を説明する。
【００１６】
なお、図１〜図６において、図７に示すものと同一のものには同一の符号を示し、その説明は省略する。
【実施例１】
【００１７】
図１及び図２は、ダンプトラック１の積荷台２に既に設けられている飛散防止装置４に設けられる本考案の飛散防止補助シート装置を示す。
【００１８】
図１及び図２において、６は、上記飛散防止装置４の飛散防止本体部４ａに傾動自在に設けたシート枠を示し、このシート枠６は、一対のシート固定用棒体７、７と、このシート固定用棒体７の基部７ａに直角方向に固定した回転軸部８とよりなる。
【００１９】
なお、上記シート固定用棒体７は、例えばパイプである。
【００２０】
９は、上記回転軸部８を支軸する軸受部を示し、この軸受部９は、飛散防止装置４の短冊状の飛散防止本体部４ａの内側下部に長手方向に沿って配置されている。
【００２１】
１０は、上記飛散防止本体部４ａの側部上部と上記シート固定用棒体７の中間部とに連結したロープなどの紐状部材を示し、この紐状部材１０は、図１に示すように、上記飛散防止本体部４ａがやや内側に傾斜した状態で保持された時に、上記シート枠６が略水平となるような長さに調整されている。
【００２２】
１１は、上記１対のシート固定用棒体７、７間に固定した防塵ネットなどのネット部材である。
【００２３】
次に、本考案の飛散防止補助シート装置の動作説明をする。
【００２４】
図３は、飛散防止装置４の飛散防止本体部４ａがやや内側に傾斜した状態で保持された状態を示し、この時は、上記シート枠６は略水平となり、積荷台２の中央を覆う。
【００２５】
この状態から、上記飛散防止装置４の傾動装置により上記飛散防止本体部４ａを外側に開放する方向に傾動させれば、上記シート枠６は、図４に示すように、上記紐状部材１０に引っ張られて、外側に開放する方向に傾動する。
【００２６】
そして、上記飛散防止本体部４ａがある程度傾動すると、図５に示すように、上記シート枠６は重力により下方に傾動して、上記飛散防止本体部４ａと上記シート枠６は重なり合い、その後、上記シート枠６は、上記飛散防止本体部４ａと共に傾動する。
【００２７】
そして、図６に示すように、上記シート枠６が完全に外側に開くようになる。
【００２８】
また、上記とは逆に、図６に示す状態から、上記飛散防止本体部４ａを起立する方向に内側に傾動させれば、上記シート枠６も内側に傾動し、上記飛散防止本体部４ａがやや内側に傾斜した状態で保持された時に、上記シート枠６が略水平となり、積荷台２の中央を覆うことができる。
【００２９】
なお、積荷に凹凸があっても、上記シート部材１１のたるみにより、上記積荷をうまく覆うことができる。
【００３０】
本考案によれば、ダンプトラックに既に設けられている飛散防止装置４の飛散防止本体部４ａの傾動を利用して、上記補助シート装置のシート枠６を傾動させることができる。従って、上記補助シート装置に別途傾動装置を設ける必要はないので、積荷の覆い作業を簡単にできる。
【００３１】
また、本考案の補助シート装置は、軽量で簡単な構成であるので、飛散防止装置４に簡単に設置でき、また取り外しもできる。
【符号の説明】
【００３２】
１    ダンプトラック
２    積荷台
３    側壁
４    飛散防止装置
４ａ  飛散防止本体部
５    シート
６    シート枠
７    シート固定用棒体
７ａ  基部
８    回転軸部
９    軸受部
１０    紐状部材
１１    ネット部材
【図１】
0003173383.tif 000003
【図２】
0003173383.tif 000004
【図３】
0003173383.tif 000005
【図４】
0003173383.tif 000006
【図５】
0003173383.tif 000007
【図６】
0003173383.tif 000008
【図７】
0003173383.tif 000009